(57)【要約】【課題】表示品位の悪化を抑制する。【解決手段】制御装置は、意図しない黒画像を検出した場合に（Ｓ１０２にてＹＥＳ）、予め定められた時間が経過するまで（Ｓ１０４，Ｓ１０８にてＮＯ）、黒画像の検出直前のバックライトの輝度の目標値と画像の輝度の補正量とを通知するステップ（Ｓ１１２）と、通知された画像の輝度の補正量に基づいて画像を補正するステップ（Ｓ１１４）と、補正された画像を液晶パネルに表示させるステップ（Ｓ１１６）と、通知されたバックライトの輝度の目標値に基づいてバックライトを制御するステップ（Ｓ１１８）とを含む、プログラムを実行する。【選択図】図２
2014052494.tif 000002
【特許請求の範囲】
【請求項１】
画像を表示させる液晶パネルと、
前記液晶パネルを照明する光源と、
前記光源の輝度と前記画像の輝度とを補正する制御装置とを含み、
前記制御装置は、複数の画像を連続して表示させる場合において、前記複数の画像から黒画像が検出されるときには、前記黒画像が検出されてから予め定められた時間が経過するまで前記光源の輝度および前記画像の輝度の補正を抑制する、画像表示装置。
【請求項２】
前記制御装置は、前記複数の画像を連続して表示させる場合において、前記黒画像が検出され、かつ、前記黒画像と直前に検出された画像との明度の差の大きさがしきい値よりも大きいときには、前記黒画像が検出されてから前記予め定められた時間が経過するまで前記光源の輝度および前記画像の輝度の補正を抑制する、請求項１に記載の画像表示装置。
【請求項３】
前記制御装置は、前記黒画像の検出が前記予め定められた時間以上継続する場合には、前記光源の輝度および前記画像の輝度の補正の抑制を解除する、請求項１または２に記載の画像表示装置。
【請求項４】
前記制御装置は、前記画像の明度が小さいほど、前記光源の輝度を減少させつつ、前記画像の輝度を増加させるように補正し、前記明度が大きいほど、前記光源の輝度を増加させつつ、前記画像の輝度を減少させるように補正する、請求項１または２記載の画像表示装置。
【請求項５】
前記予め定められた時間は、前記黒画像の検出に基づく前記光源の輝度および前記画像の輝度の補正に起因したちらつきが発生しないように設定される、請求項１〜４のいずれかに記載の画像表示装置。
【請求項６】
前記制御装置は、前記画像のヒストグラムに基づいて前記画像が黒画像であるか否かを判定する、請求項１〜５のいずれかに記載の画像表示装置。
【請求項７】
画像を表示させる液晶パネルと、前記液晶パネルを照明する光源とを含む画像表示装置の制御方法であって、
前記光源の輝度と前記画像の輝度とを補正するステップと、
複数の画像を連続して表示させる場合において、前記複数の画像から黒画像が検出されるときには、前記黒画像が検出されてから予め定められた時間が経過するまで前記光源の輝度および前記画像の輝度の補正を抑制するステップとを含む、画像表示装置の制御方法。
【請求項８】
画像を表示させる液晶パネルと、前記液晶パネルを照明する光源とを含む画像表示装置の制御プログラムであって、
前記制御プログラムは、コンピュータに、
前記光源の輝度と前記画像の輝度とを補正するステップと、
複数の画像を連続して表示させる場合において、前記複数の画像から黒画像が検出されるときには、前記黒画像が検出されてから予め定められた時間が経過するまで前記光源の輝度および前記画像の輝度の補正を抑制するステップとを実行させる、画像表示装置の制御プログラム。
【請求項９】
請求項８に記載の画像表示装置の制御プログラムを記録した記録媒体。
【発明の詳細な説明】
【技術分野】
【０００１】
本発明は、画像の明度に応じて光源の輝度と画像の輝度とを調整する技術に関する。
【背景技術】
【０００２】
たとえば、特開２００７−０１８０１３号公報（特許文献１）には、入力信号の輝度が高輝度である場合には照明用光源から光量を増加させ、入力信号の輝度が低輝度である場合には照明用光源からの光量を減少させるディスプレイ装置が開示される。さらに、特開２００８−３０９９０８号公報には、映像信号のレベルが一定時間を超えて低いときに映像信号のレベルまたは輝度レベルを上げる画像表示装置が開示される。
【先行技術文献】
【特許文献】
【０００３】
【特許文献１】特開２００７−０１８０１３号公報
【特許文献２】特開２００８−３０９９０８号公報
【発明の概要】
【発明が解決しようとする課題】
【０００４】
ところで、液晶パネルと光源（たとえば、バックライト）とを含む画像表示装置において、表示させる画像の明度が低い場合には、光源の輝度を低下させるとともに画像の輝度を増加させる変化を緩やかに行なうことで見た目を大きく変えることなく光源における電力消費量の増加を抑制する技術が公知である。
【０００５】
しかしながら、明るい画像が表示された状態で、それまで表示された画像とは無関係の黒画像が一定時間表示され、その後に明るい画像の表示に復帰するような場合には、黒画像が表示される時点から光源の輝度が低下させられ、画像の輝度が増加させられる。そのため、明るい画像の表示が復帰する場合には復帰の時点から時間の経過とともに光源の輝度が上昇させられ、画像の輝度が低下させられることになる。その結果、明るい画像の表示の復帰時においては、黒画像が表示される前よりも暗く見えることとなり、ちらつきが生じ表示品位が悪化する場合がある。
【０００６】
本発明は、上述した課題を解決するためになされたものであって、その目的は、表示品位の悪化を抑制する画像表示装置、画像表示装置の制御方法、画像表示装置の制御プログラムおよびその制御プログラムを記録した記録媒体を提供することである。
【課題を解決するための手段】
【０００７】
この発明のある局面に係る画像表示装置は、画像を表示させる液晶パネルと、液晶パネルを照明する光源と、光源の輝度と画像の輝度とを補正する制御装置とを含む。制御装置は、複数の画像を連続して表示させる場合において、複数の画像から黒画像が検出されるときには、黒画像が検出されてから予め定められた時間が経過するまで光源の輝度および画像の輝度の補正を抑制する。
【０００８】
好ましくは、制御装置は、複数の画像を連続して表示させる場合において、黒画像が検出され、かつ、黒画像と直前に検出された画像との明度の差の大きさがしきい値よりも大きいときには、黒画像が検出されてから予め定められた時間が経過するまで光源の輝度および画像の輝度の補正を抑制する。
【０００９】
さらに好ましくは、制御装置は、黒画像の検出が予め定められた時間以上継続する場合には、光源の輝度および画像の輝度の補正の抑制を解除する。
【００１０】
さらに好ましくは、制御装置は、画像の明度が小さいほど、光源の輝度を減少させつつ、画像の輝度を増加させるように補正し、明度が大きいほど、光源の輝度を増加させつつ、画像の輝度を減少させるように補正する。
【００１１】
さらに好ましくは、予め定められた時間は、黒画像の検出に基づく光源の輝度および画像の輝度の補正に起因したちらつきが発生しないように設定される。
【００１２】
さらに好ましくは、制御装置は、画像のヒストグラムに基づいて画像が黒画像であるか否かを判定する。
【００１３】
この発明の他の局面に係る画像表示装置の制御方法は、画像を表示させる液晶パネルと、液晶パネルを照明する光源とを含む画像表示装置の制御方法である。この制御方法は、光源の輝度と画像の輝度とを補正するステップと、複数の画像を連続して表示させる場合において、複数の画像から黒画像が検出されるときには、黒画像が検出されてから予め定められた時間が経過するまで光源の輝度および画像の輝度の補正を抑制するステップとを含む。
【００１４】
この発明のさらに他の局面に係る画像表示装置の制御プログラムは、画像を表示させる液晶パネルと、液晶パネルを照明する光源とを含む画像表示装置の制御プログラムである。この制御プログラムは、コンピュータに、光源の輝度と画像の輝度とを補正するステップと、複数の画像を連続して表示させる場合において、複数の画像から黒画像が検出されるときには、黒画像が検出されてから予め定められた時間が経過するまで光源の輝度および画像の輝度の補正を抑制するステップとを実行させる。
【００１５】
この発明のさらに他の局面に係る記録媒体は、上記の画像表示装置の制御プログラムを記録した記録媒体である。
【発明の効果】
【００１６】
この発明によると、複数の画像を連続して表示させる場合において、複数の画像から黒画像が検出されるときには、黒画像が検出されてから予め定められた時間が経過するまで光源の輝度および画像の輝度の補正を抑制することにより、黒画像の検出に基づく光源の輝度および画像の輝度の変化に起因するちらつきの発生を抑制することができる。したがって、表示品位の悪化を抑制する画像表示装置、画像表示装置の制御方法、画像表示装置の制御プログラムおよびその制御プログラムを記録した記録媒体を提供することができる。
【図面の簡単な説明】
【００１７】
【図１】本実施の形態に係る画像表示装置の概略ブロック図である。
【図２】本実施の形態に係る画像表示装置で実行されるプログラムの制御構造を示すフローチャートである。
【図３】本発明が適用される場合の制御装置の動作を示すタイミングチャートである。
【図４】本発明が適用されない場合の制御装置の動作を示すタイミングチャートである。
【発明を実施するための形態】
【００１８】
以下、図面を参照しつつ、本発明の実施の形態について説明する。以下の説明では、同一の部品には同一の符号が付されている。それらの名称および機能も同じである。したがってそれらについての詳細な説明は繰り返されない。
【００１９】
図１に示すように、本実施の形態に係る画像表示装置１は、制御装置２と、表示ドライバ３と、液晶パネル４と、バックライト５とを含む。
【００２０】
制御装置２には、表示データが入力される。表示データは、１フレームの画像を液晶パネル４において表示させるためのデータを含む。表示データは、たとえば、図示しない記憶装置から読み出されて制御装置２に入力される。記憶装置は、たとえば、メモリやハードディスク等の書き換え可能な記録媒体である。メモリは、たとえば、ＮＡＮＤ型のフラッシュメモリである。
【００２１】
制御装置２は、入力された表示データに基づいて制御信号を生成して、表示ドライバ３およびバックライト５に対して生成した制御信号を送信する。表示ドライバ３は、制御装置２から受信する制御信号に基づいて液晶パネル４に対して電圧を印加する。
【００２２】
液晶パネル４は、表示ドライバ３による電圧の印加を受けて画像を表示させる。バックライト５は、制御装置２から受信する制御信号に基づいて液晶パネル４を照明する光源である。
【００２３】
このような画像表示装置１は、たとえば、スマートフォン端末またはタブレット端末等の携帯端末やラップトップ型のパーソナルコンピュータに搭載されたモニターまたは据置型のモニターや液晶テレビ等に用いられてもよい。
【００２４】
制御装置２は、バックライト５の輝度ＢＬと表示データに含まれる画像の輝度とを補正する。制御装置２は、画像の見え方が大きく変化することなく（すなわち、画像全体の明度を維持しつつ）、バックライト５の輝度ＢＬと画像の輝度とを補正する。
【００２５】
制御装置２は、たとえば、画像の明度が小さいほど（暗い画像であるほど）バックライト５の輝度ＢＬを減少させつつ、画像の輝度を増加させるように補正する。あるいは、制御装置２は、たとえば、画像の明度が大きいほど（明るい画像であるほど）バックライト５の輝度ＢＬを増加させつつ、画像の輝度を減少させるように補正する。
【００２６】
制御装置２は、画像の各画素値を変更することによって画像の輝度を増加させたり、減少させたりする。また、制御装置２は、バックライト５の輝度ＢＬや画像の輝度を緩やかに変化させることによってちらつきの発生を抑制する。
【００２７】
このような構成を有する画像表示装置において、複数の画像を連続して表示させる場合を想定する。この場合に、明るい画像が表示された状態で、それまで表示された画像とは無関係の黒画像が一定時間表示され、その後に明るい画像の表示に復帰すると、バックライト５の輝度ＢＬや画像の輝度の補正に起因してちらつきが生じ表示品位が悪化する場合がある。これは、黒画像が表示される時点から光源の輝度が低下させられ、画像の輝度が増加させられるように補正された後に明るい画像の表示が復帰するため、復帰の時点から光源の輝度が増加させられ、画像の輝度が低下させられるように補正されることになるためである。このような現象は、たとえば、画像表示装置が端末に用いられる場合において、端末の起動時に起動画像を表示させる場合に発生する場合がある。
【００２８】
本実施の形態においては、制御装置２が、複数の画像を連続して表示させる場合において、複数の画像から黒画像が検出されるときには、黒画像が検出されてから予め定められた時間が経過するまでバックライト５の輝度ＢＬおよび画像の輝度の補正を抑制する点を特徴とする。
【００２９】
制御装置２は、画像処理部３０と、画像解析部３２と、バックライト制御部３４と、黒画像検出部３６と、タイマー部３８とを含む。
【００３０】
画像処理部３０は、画像解析部３２から通知された画像の輝度の補正量Ｃに基づいて表示データに含まれる画像の輝度を補正し、補正された画像を表示ドライバ３に出力する。具体的には、画像処理部３０は、画像解析部３２から画像の輝度の補正量Ｃが通知された場合には、通知された補正量Ｃの分だけ画像の輝度を変更する。
【００３１】
なお、画像処理部３０は、通知された補正量Ｃの分だけ画像の輝度を緩やかに変化させる。画像処理部３０は、たとえば、画像の輝度の変化量に上限値を設定し、時間が経過するとともに画像の輝度の補正量が画像解析部３２から通知された補正量Ｃに近づくように画像の輝度を段階的あるいは連続的に変化させてもよい。
【００３２】
あるいは、画像処理部３０は、たとえば、直前に決定された画像の輝度と通知された補正量Ｃだけ変化させた画像の輝度との差に１よりも小さい係数を乗じた値を今回の画像の輝度として決定してもよい。
【００３３】
画像解析部３２は、表示データに含まれる画像の明度に応じてバックライト５の輝度ＢＬの目標値と、画像の輝度の補正量Ｃとを算出する。画像解析部３２は、たとえば、画像を周知の方法を用いて２５６階調のグレースケール画像に変換して各画素の明度に基づいて各画素の明度とその分布とを示すヒストグラムを作成する。画像解析部３２は、作成されたヒストグラムに基づいて表示データに含まれる画像に対するバックライト５の輝度ＢＬの目標値と画像の輝度の補正量Ｃとを算出する。
【００３４】
画像解析部３２は、画像が明るい画像であるほどバックライト５の輝度ＢＬを増加させるとともに画像の輝度を低下させるようにバックライト５の輝度ＢＬの目標値と画像の輝度の補正量Ｃとを算出する。
【００３５】
また、画像解析部３２は、画像が暗い画像であるほどバックライト５の輝度ＢＬを低下させるとともに画像の輝度の補正量Ｃを増加させるようにバックライト５の輝度ＢＬの目標値と画像の輝度の補正量Ｃとを算出する。
【００３６】
画像解析部３２は、たとえば、表示データに含まれる画像において、所定の明度を超える画素の数が多いほど、あるいは、所定の明度を下回る画素の数が少ないほど当該画像が明るい画像であると判定して、バックライト５の輝度ＢＬを増加させるとともに画像の輝度を低下させるように目標値および補正量Ｃを算出してもよい。
【００３７】
あるいは、画像解析部３２は、たとえば、表示データに含まれる画像において、所定の明度を超える画素の数が少ないほど、あるいは、所定の明度を下回る画素の数が多いほど当該画像が暗い画像であると判定して、バックライト５の輝度ＢＬを低下させるとともに画像の輝度を増加させるように目標値および補正量Ｃを算出してもよい。
【００３８】
なお、バックライト５の輝度ＢＬの変化量と画像の輝度の補正量Ｃとは、画像の見た目が大きく変化しないように相関関係を有する値となる。また、所定の明度については特に限定されるものではない。
【００３９】
画像解析部３２は、算出したバックライト５の輝度ＢＬの目標値をバックライト制御部３４に通知する。さらに、画像解析部３２は、算出した画像の輝度の補正量Ｃを画像処理部３０に通知する。
【００４０】
本実施の形態において、画像解析部３２は、黒画像検出部３６から意図しない黒画像の検出が通知された場合に、通知を受けてから予め定められた時間が経過するまでバックライト５の輝度ＢＬおよび画像の輝度の補正を抑制する。
【００４１】
画像解析部３２は、たとえば、黒画像検出部３６から意図しない黒画像の検出が通知された場合に、黒画像の検出の直前の画像に基づいて算出されたバックライト５の輝度ＢＬの目標値をバックライト制御部３４に通知し、黒画像の検出の直前の画像に基づいて算出された画像の輝度の補正量Ｃを画像処理部３０に通知してもよい。
【００４２】
あるいは、画像解析部３２は、たとえば、黒画像検出部３６からの意図しない黒画像の検出が通知された場合に、バックライト５の輝度ＢＬを維持する旨をバックライト制御部３４に通知し、画像の輝度の補正量Ｃを維持する旨を画像処理部３０に通知してもよい。
【００４３】
画像解析部３２は、黒画像検出部３６から黒画像の検出が予め定められた時間以上継続する旨が通知された場合には、バックライト５の輝度ＢＬおよび画像の輝度の補正の抑制を解除する。すなわち、画像解析部３２は、検出された黒画像に基づいてバックライト５の輝度ＢＬの目標値と画像の輝度の補正量Ｃとを算出する。
【００４４】
バックライト制御部３４は、画像解析部３２から通知されたバックライト５の輝度ＢＬの目標値に基づいてバックライト５の輝度ＢＬを制御するための制御信号を生成して、生成した制御信号をバックライト５に送信する。
【００４５】
具体的には、バックライト制御部３４は、画像解析部３２からバックライト５の輝度ＢＬの目標値が通知された場合には、バックライト５の輝度ＢＬが通知された目標値になるようにバックライト５の輝度ＢＬを制御する。
【００４６】
なお、バックライト制御部３４は、バックライト５の輝度ＢＬが通知されたバックライト５の輝度ＢＬの目標値になるまでバックライト５の輝度ＢＬを緩やかに変化させる。バックライト制御部３４は、たとえば、バックライト５の輝度ＢＬの変化量に上限値を設定し、時間が経過するとともにバックライト５の輝度ＢＬが目標値に近づくようにバックライト５の輝度ＢＬを段階的あるいは連続的に変化させる。
【００４７】
黒画像検出部３６は、表示データに含まれる画像が意図しない黒画像であるか否かを判定し、意図しない黒画像であると判定した場合に黒画像の検出を画像解析部３２に通知する。黒画像検出部３６は、たとえば、表示データに含まれる画像の全ての画素の画素値が黒を示す値である場合に表示データに含まれる画像が黒画像であると判定してもよい。または、黒画像検出部３６は、画素値が黒を示す値を有する画素の数がしきい値よりも多い場合に表示データに含まれる画像が黒画像であると判定してもよい。あるいは、黒画像検出部３６は、所定の明度よりも低い画素の数がしきい値よりも多い場合に表示データに含まれる画像が黒画像であると判定してもよい。しきい値あるいは所定の明度は、表示データに含まれる画像に重畳するノイズ等を考慮して定めてもよい。
【００４８】
さらに、黒画像検出部３６は、黒画像が検出された場合に、黒画像と黒画像の検出の直前の画像との明度の差の大きさがしきい値よりも大きいときには、意図しない黒画像が検出されたと判定する。しきい値は、たとえば、明るい画像が表示された状態で直前の画像と無関係な黒画像が挿入された場合を判定するための値である。
【００４９】
黒画像検出部３６は、タイマー部３８から通知される経過時間に基づいて黒画像の検出が予め定められた時間以上継続する場合には、その旨を画像解析部３２に通知する。
【００５０】
タイマー部３８は、意図しない黒画像が検出されていない場合にカウンタの値を初期値にリセットする（初期化する）。タイマー部３８は、意図しない黒画像が検出された場合には、カウンタが初期値にリセットされている場合に、時間の経過とともにカウンタの値を増加させる。タイマー部３８は、カウンタの値が予め定められた時間に対応する値となる場合にカウンタの値の増加を停止させる。タイマー部３８は、カウンタの値を増加させる毎にカウンタの値を黒画像検出部３６に通知する。
【００５１】
画像処理部３０、画像解析部３２、バックライト制御部３４、黒画像検出部３６およびタイマー部３８における処理は、ハードウェアあるいはＣＰＵにより実行されるソフトウェアによって実現される。このようなソフトウェアは、記憶装置に記憶される。また、ソフトウェアは、メモリカードその他の記憶媒体に格納されて、プログラムプロダクトとして流通していてもよい。あるいは、ソフトウェアは、いわゆるインターネットに接続されている情報提供事業者によってダウンロード可能なプログラムプロダクトとして提供されてもよい。このようなソフトウェアは、ＩＣカードリーダライタその他の読み取り装置によりその記憶媒体から読み取られて、あるいは、ダウンロードされた後に、記憶装置に実行可能なプログラムの形式で格納されてもよい。
【００５２】
図２を参照して、本実施の形態に係る画像表示装置１の制御装置２で実行されるプログラムの制御構造について説明する。
【００５３】
ステップ（以下、ステップをＳと記載する）１００にて、制御装置２は、画像処理部３０、画像解析部３２および黒画像検出部３６に表示データを入力する。
【００５４】
Ｓ１０２にて、黒画像検出部３６は、表示データに含まれる画像に基づいて意図しない黒画像が検出されたか否かを判定する。意図しない黒画像が検出された場合（Ｓ１０２にてＹＥＳ）、処理はＳ１０４に移される。もしそうでない場合には（Ｓ１０２にてＮＯ）、処理はＳ１０６に移される。
【００５５】
Ｓ１０４にて、タイマー部３８は、初期化済の場合（すなわち、カウンタの値が初期値である場合）にはカウンタの値の増加（カウント）を開始し、予め定められた時間経過後にカウントを停止させる。Ｓ１０６にて、タイマー部３８は、カウンタの値を初期化する。
【００５６】
Ｓ１０８にて、タイマー部３８は、カウントが停止しているか否かを判定する。タイマー部３８によるカウントが停止している場合は（Ｓ１０８にてＹＥＳ）、処理はＳ１１０に移される。もしそうでない場合は（Ｓ１０８にてＮＯ）、処理はＳ１１２に移される。
【００５７】
Ｓ１１０にて、画像解析部３２は、入力された表示データの画像の明度に基づいてバックライト５の輝度ＢＬの目標値を算出して、算出された目標値をバックライト制御部３４に通知し、画像の輝度の補正量Ｃを算出して、算出された補正量Ｃを画像処理部３０に通知する。
【００５８】
Ｓ１１２にて、画像解析部３２は、黒画像が検出される直前のバックライト５の輝度ＢＬの目標値をバックライト制御部３４に通知し、黒画像が検出される直前の画像の輝度の補正量Ｃを画像処理部３０に通知する。Ｓ１１４にて、画像処理部３０は、画像解析部３２から通知された画像の輝度の補正量Ｃに基づいて表示データに含まれる画像の輝度を補正する。
【００５９】
Ｓ１１６にて、画像処理部３０は、補正された画像を液晶パネル４に表示させる。Ｓ１１８にて、バックライト制御部３４は、画像解析部３２から通知されたバックライト５の輝度ＢＬの目標値に基づいてバックライト５の輝度ＢＬを制御する。
【００６０】
以上のような構造およびフローチャートに基づく本実施の形態に係る画像表示装置１の制御装置２の動作について図３および図４を参照しつつ説明する。
【００６１】
＜本発明が適用される場合＞
図３に示すように、たとえば、明るい画像が表示データとして制御装置２に入力された場合を想定する。制御装置２は、表示データを画像処理部３０と、画像解析部３２と、黒画像検出部３６とに入力する（Ｓ１００）。
【００６２】
黒画像が検出されない場合には（Ｓ１０２にてＮＯ）、タイマー部３８がカウンタの値を初期化する（Ｓ１０６）。画像解析部３２は、表示データに含まれる画像の明度に基づいてバックライト５の輝度ＢＬの目標値と画像の輝度の補正量Ｃとを算出して、算出されたバックライト５の輝度ＢＬの目標値をバックライト制御部３４に通知し、算出された画像の輝度の補正量Ｃを画像処理部３０に通知する（Ｓ１１０）。
【００６３】
このとき、表示データに含まれる画像が明るい画像であるため、バックライト５の輝度ＢＬの目標値は上限値ＢＬ（１）となり、画像の輝度の補正量Ｃは下限値Ｃ（０）となる。画像処理部３０は、通知された補正量Ｃに基づいて画像の輝度を補正し（Ｓ１１４）、補正された画像を液晶パネル４に表示させる（Ｓ１１６）。バックライト制御部３４は、通知されたバックライト５の輝度ＢＬの目標値に基づいてバックライト５を制御する（Ｓ１１８）。その結果、明るい画像が表示される時間Ｔ（１）までは、バックライト５の輝度ＢＬは上限値（１）で維持され、画像の輝度の補正量Ｃは下限値Ｃ（０）で維持されることとなる。
【００６４】
表示データとして入力された画像が暗い画像（黒画像でない）である場合においては、バックライト５の輝度ＢＬの目標値は、バックライト５の輝度の上限値ＢＬ（１）よりも低い値となる。さらに、画像の輝度の補正量Ｃは、画像の輝度の補正量Ｃの下限値Ｃ（０）よりも高い値となる。
【００６５】
その結果、時間Ｔ（１）以降、バックライト５の輝度ＢＬは、時間Ｔ（２）にて目標値に到達するまで時間の経過に従って低下していく。さらに、画像の輝度の補正量Ｃは、時間Ｔ（１）から時間Ｔ（２）にて通知された補正量Ｃになるまで時間の経過に従って増加していく。バックライト５の輝度ＢＬが低下するとともに画像の輝度の補正量Ｃが増加するため、利用者による画像の見え方を大きく変化させることなく、バックライト５における消費電力を低減できる。
【００６６】
時間Ｔ（２）にて、バックライト５の輝度ＢＬが通知された目標値に到達し、画像の輝度の補正量Ｃが通知された補正量に到達した場合には、バックライト５の輝度ＢＬおよび画像の輝度の補正量Ｃが維持される。
【００６７】
時間Ｔ（３）にて、表示データとして入力された画像が直前の画像よりも明るい画像となる場合においては、バックライト５の輝度ＢＬの目標値は、表示データの明度に基づいて時間Ｔ（１）〜時間Ｔ（３）において決定されたバックライト５の輝度ＢＬの目標値よりも高い値となる。さらに、画像の輝度の補正量Ｃは、時間Ｔ（１）〜時間Ｔ（３）において決定された画像の輝度の補正量Ｃよりも低い値となる。
【００６８】
その結果、時間Ｔ（３）〜時間Ｔ（４）において、バックライト５の輝度ＢＬは、時間の経過とともに増加していくのに対して、画像の輝度の補正量Ｃは低下していく。
【００６９】
時間Ｔ（４）〜時間Ｔ（５）にて、バックライト５の輝度ＢＬが通知された目標値に到達し、画像の輝度の補正量Ｃが通知された補正量に到達した場合には、バックライト５の輝度ＢＬおよび画像の輝度の補正量Ｃが維持される。
【００７０】
時間Ｔ（５）にて、黒画像が表示データとして入力された場合（Ｓ１００）、直前の表示データの画像との明度差がしきい値よりも低いため、意図しない黒画像が検出されたと判定されない（Ｓ１０２にてＮＯ）。
【００７１】
このとき、表示データとして入力された画像が黒画像であるため、バックライト５の輝度ＢＬの目標値は、下限値ＢＬ（０）となり、画像の輝度の補正量Ｃは、上限値Ｃ（１）となる。
【００７２】
その結果、時間Ｔ（５）〜時間Ｔ（６）において、バックライト５の輝度ＢＬは、時間の経過とともに低下していくのに対して、画像の輝度の補正量Ｃは増加していく。
【００７３】
時間Ｔ（６）にて、明るい画像が表示データとして入力された場合においては、バックライト５の輝度ＢＬの目標値は、上限値ＢＬ（１）となり、画像の輝度の補正量Ｃは、下限値Ｃ（０）となる。
【００７４】
その結果、時間Ｔ（６）〜時間Ｔ（７）において、バックライト５の輝度ＢＬは、時間Ｔ（７）にて上限値ＢＬ（１）に到達するまで、時間の経過とともに増加していく。さらに、画像の輝度の補正量Ｃは、時間Ｔ（７）にて下限値Ｃ（０）に到達するまで、時間の経過とともに低下していく。
【００７５】
時間Ｔ（７）にて、バックライトの輝度ＢＬが上限値ＢＬ（１）に到達し、画像の輝度の補正量Ｃが下限値Ｃ（０）に到達した場合には、バックライト５の輝度ＢＬは、上限値ＢＬ（１）で維持され、画像の輝度の補正量Ｃは、下限値Ｃ（０）で維持される。
【００７６】
時間Ｔ（８）にて、黒画像が表示データとして入力され、かつ、直前の表示データの画像との明度差がしきい値よりも大きい場合には、意図しない黒画像が検出されたと判定される（Ｓ１０２にてＹＥＳ）。タイマー部３８におけるカウンタの値が初期化済みであるため、カウントが開始される（Ｓ１０４）。カウントが開始されてから予め定められた時間が経過するまではカウントが停止しないため（Ｓ１０８にてＮＯ）、黒画像の検出直前のバックライト５の輝度ＢＬの目標値が今回の目標値となり、黒画像の検出直前の画像の輝度の補正量Ｃが今回の補正量Ｃとなる。
【００７７】
その結果、バックライト５の輝度ＢＬは、上限値ＢＬ（１）で維持され、画像の輝度の補正量Ｃは、下限値Ｃ（０）で維持される。
【００７８】
時間Ｔ（９）にて、明るい画像が表示データとして入力された場合には（Ｓ１００，Ｓ１０２にてＮＯ）、バックライト５の輝度ＢＬの目標値は上限値ＢＬ（１）となり、画像の輝度の補正量Ｃは下限値Ｃ（０）となる。
【００７９】
その結果、バックライト５の輝度ＢＬは、上限値ＢＬ（１）で維持され、画像の輝度の補正量Ｃは、下限値Ｃ（０）で維持される。
【００８０】
したがって、時間Ｔ（７）以降においては、意図しない黒画像の検出に関わらず、バックライト５の輝度ＢＬおよび画像の輝度の補正量Ｃが一定の状態に維持される。
【００８１】
＜本発明が適用されない場合＞
図４においては、図３と同様の表示データが入力されるものとする。そのため、図４における時間Ｔ（１）〜時間Ｔ（７）までのバックライト５の輝度ＢＬの変化および画像の輝度の補正量Ｃの変化は、図３における時間Ｔ（１）〜時間Ｔ（７）までのバックライト５の輝度ＢＬの変化および画像の輝度の補正量Ｃの変化と同様である。そのため、その詳細な説明は繰り返さない。
【００８２】
時間Ｔ（８）にて、入力された表示データが黒画像である場合には、バックライト５の輝度ＢＬの目標値は、下限値ＢＬ（０）となり、画像の輝度の補正量Ｃは、上限値Ｃ（１）となる。
【００８３】
その結果、時間Ｔ（８）〜時間Ｔ（１０）にて、バックライト５の輝度ＢＬは、時間の経過とともに低下していくのに対して、画像の輝度の補正量Ｃは増加していく。
【００８４】
時間Ｔ（１０）〜Ｔ（１１）にて、バックライト５の輝度ＢＬが下限値ＢＬ（０）に到達し、画像の輝度の補正量Ｃが上限値Ｃ（１）に到達した場合には、バックライト５の輝度ＢＬおよび画像の輝度の補正量Ｃが維持される。
【００８５】
時間Ｔ（１１）にて、明るい画像が表示データとして入力された場合においては、バックライト５の輝度ＢＬの目標値は、上限値ＢＬ（１）となり、画像の輝度の補正量Ｃは、下限値Ｃ（０）となる。
【００８６】
その結果、時間Ｔ（１１）〜時間Ｔ（１２）にて、バックライト５の輝度ＢＬは、時間の経過とともに増加していくのに対して、画像の輝度の補正量Ｃは低下していく。
【００８７】
したがって、時間Ｔ（８）から時間Ｔ（１０）において、意図しない黒画像の検出によって、バックライト５の輝度ＢＬが上限値ＢＬ（１）から下限値ＢＬ（０）まで急激に低下するとともに、画像の輝度の補正量Ｃが下限値Ｃ（０）から上限値Ｃ（１）に急激に増加する。
【００８８】
その後、時間Ｔ（１１）〜時間Ｔ（１２）において、表示データが明るい画像に復帰することによって、バックライト５の輝度ＢＬが下限値ＢＬ（０）から上限値ＢＬ（１）に急激に増加するとともに、画像の輝度の補正量Ｃが上限値Ｃ（１）から下限値Ｃ（０）に急激に低下する。このようなバックライト５の輝度ＢＬおよび画像の輝度の補正量Ｃの大きな変化によりちらつきが生じる。
【００８９】
以上のようにして、本実施の形態に係る画像表示装置１によると、複数の画像を連続して表示させる場合において、複数の画像に意図しない黒画像が検出される場合には、黒画像が検出されてから予め定められた時間が経過するまでバックライト５の輝度および画像の輝度の補正が抑制される。これにより、黒画像の表示に起因するバックライト５の輝度ＢＬおよび画像の輝度の補正量Ｃの変化を抑制することができる。その結果、ちらつきの発生を抑制することができる。したがって、表示品位の悪化を抑制する画像表示装置、画像表示装置の制御方法、画像表示装置の制御プログラムおよびその制御プログラムを記録した記録媒体を提供することができる。
【００９０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９１】
１  画像表示装置、２  制御装置、３  表示ドライバ、４  液晶パネル、５  バックライト、３０  画像処理部、３２  画像解析部、３４  バックライト制御部、３６  黒画像検出部、３８  タイマー部。
【図１】
2014052494.tif 000003
【図２】
2014052494.tif 000004
【図３】
2014052494.tif 000005
【図４】
2014052494.tif 000006